【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
無線ロケーション・システムにおいて用いる干渉消去方法であって、
位置を検出すべき移動送信機からの送信を、第１受信サイトにおいて受信するステップと、
干渉信号が前記第１受信サイトにおいて受信した信号を破損する衝突の確率を判定するステップと、
前記衝突の確率が閾値を超過する場合、前記第１受信サイトにおいて受信した信号から、前記干渉信号の少なくとも実質的な部分を除去するステップと、
を備えた干渉消去方法。
【請求項２】
請求項１記載の方法において、前記第１受信サイトにおいて受信した前記信号をディジタル化し、次いで所定のアルゴリズムにしたがって処理して、前記衝突の確率を判定する、方法。
【請求項３】
請求項２記載の方法において、前記所定のアルゴリズムは、前記受信信号に関する信号対ノイズ比（ＳＮＲ）を判定することを含む、方法。
【請求項４】
請求項３記載の方法において、前記所定のアルゴリズムは、更に、前記ＳＮＲの分散が所定の閾値を超過するか否か判定を行うことを含む、方法。
【請求項５】
請求項３記載の方法において、前記所定のアルゴリズムは、更に、前記ＳＮＲが単一ステップにおいて、所定の閾値よりも大きい量だけ増加または減少したか否か判定を行うことを含む、方法。
【請求項６】
請求項３記載の方法において、前記所定のアルゴリズムは、更に、前記衝突の確率を、遠隔サイトにおいて受信した信号の平均ＳＮＲが、伝搬モデルによって予測した平均ＳＮＲよりも大きいか否かに基づかせることを含む、方法。
【請求項７】
請求項１記載の方法において、前記第１受信サイトにおいて受信した前記信号から前記干渉信号の少なくとも実質的な部分を除去するステップは、干渉信号の表現を再現することを含む、方法。
【請求項８】
請求項７記載の方法において、前記第１受信サイトにおいて受信した前記信号から前記干渉信号の少なくとも実質的な部分を除去するステップは、前記再現した信号を、これを前記第１受信サイトにおいて受信した信号から減算する前に処理することを含む、方法。
【請求項９】
請求項８記載の方法において、前記再現した信号の処理は、時間シフトを含む、方法。
【請求項１０】
請求項８記載の方法において、前記再現した信号の処理は、周波数シフトを含む、方法。
【請求項１１】
請求項８記載の方法において、前記再現した信号の処理は、重み付けを含む、方法。
【請求項１２】
請求項８記載の方法において、前記再現信号の処理は、所定の伝搬モデルにしたがった処理を含み、前記第１受信サイトにおいて受信した前記信号から減算する前記信号が、干渉信号の実質的に正確な表現であるようにした、方法。
【請求項１３】
請求項８記載の方法であって、更に、前記第１受信サイトにおいて受信した前記信号から干渉信号の少なくとも実質的な部分を除去するプロセスを繰り返して、多数の干渉信号の実質的な部分を除去するステップを含む、方法。
【請求項１４】
請求項１３記載の方法において、前記繰り返すプロセスは、最も強い干渉物を選択して最初に除去し、続いてＳＮＲの閾値に達するまで、干渉が減少する順序で１つ以上の他の干渉物を選択し除去することを伴う、方法。
【請求項１５】
請求項１３記載の方法において、前記繰り返すプロセスは、最も強い干渉物を選択して最初に除去し、続いて時間限度を超過するまで、干渉が減少する順序で１つ以上の他の干渉物を選択し除去することを伴う、方法。
【請求項１６】
請求項１３記載の方法において、前記繰り返すプロセスは、最も強い干渉物を選択して最初に除去し、続いて潜在的位置判定が指定の精度および信頼度に達するまで、干渉が減少する順序で１つ以上の他の干渉物を選択し除去することを伴う、方法。
【請求項１７】
請求項７記載の方法であって、更に、前記再現信号の表現を１つ以上の別の受信サイトに分配することによって、前記他の受信サイトが、当該サイトにおいて受信した信号から干渉を除去する際に前記再現信号を用いることができるようにした、方法。
【請求項１８】
請求項１記載の方法であって、更に、前記衝突の確率が所定の閾値を上回ると判定した後、前記第１受信サイトにおいて複数のアンテナ・ポートの各々から受信した信号データが、位置を検出すべき移動送信機からであることを検証するステップを含む、方法。
【請求項１９】
請求項１８記載の方法において、前記検証するステップは、前記受信信号のセグメントを復調し、前記信号における識別情報が正しいことを検証することを含む、方法。
【請求項２０】
請求項１９記載の方法において、前記識別情報は、ＭＩＮおよびＭＳＩＤの内少なくとも１つを含む、方法。
【請求項２１】
請求項１８記載の方法において、前記検証するステップは、前記受信信号のセグメントを復調して、前記信号におけるメッセージ特性が、別の受信サイトにおいて受信したものと一致することを検証することを含む、方法。
【請求項２２】
請求項２１記載の方法において、前記メッセージ特性は、ダイアルした番号を含む、方法。
【請求項２３】
請求項１記載の方法において、複数の受信サイトを含む無線ロケーション・システムにおいて当該方法を実行し、１対の前記受信サイトが到達時間差（ＴＤＯＡ）の計算に対するベースラインを規定し、一方の受信サイトにおいて干渉信号を消去することを、他方の受信サイトにおいて受信した信号から得た前記干渉信号の再現表現を用いることによって行うことができ、これによりＴＤＯＡ判定の精度を高める、方法。
【請求項２４】
請求項１記載の方法において、当該方法は、複数の受信サイトを含む無線ロケーション・システムにおいて到達角度（ＡＯＡ）判定の精度を高めるために実行する、方法。
【請求項２５】
請求項１記載の方法において、衝突の確率を判定する前記ステップは、前記第１受信サイトにおいて受信した前記信号を基準信号と相関させることを含む、方法。
【請求項２６】
請求項２５記載の方法であって、更に、干渉物の再現バージョンを近隣サイトからの基準と時間に関して相関させて、前記干渉物の最適時間シフト・バージョンを求めることを含む、方法。
【請求項２７】
請求項２５記載の方法であって、更に、干渉物の再現バージョンを近隣サイトからの基準と周波数に関して相関させて、前記干渉物の最適周波数シフト・バージョンを求めることを含む、方法。
【請求項２８】
請求項２５記載の方法であって、更に、干渉物の再現バージョンを近隣サイトからの基準と時間および周波数に関して相関させて、前記干渉物の最適の時間および周波数シフト・バージョンを求めることを含む、方法。
【請求項２９】
請求項１記載の方法において、衝突の確率を判定し、前記第１受信サイトにおいて受信した前記信号から前記干渉信号の少なくとも実質的な部分を除去するステップは、受信サイトにおいて行われる、方法。
【請求項３０】
請求項１記載の方法において、衝突の確率を判定し、前記第１受信サイトにおいて受信した前記信号から前記干渉信号の少なくとも実質的な部分を除去するステップは、中央サイトにおいて行われる、方法。
【請求項３１】
請求項１記載の方法において、前記所定のアルゴリズムは、位置を検出すべき前記移動送信機以外の移動送信機の知識を用い、同一チャネル上において前記位置を検出すべき移動送信機として通信して、干渉が存在することを判定することを含む、方法。
【請求項３２】
請求項３１記載の方法において、前記知識は、無線通信システムから得られる、方法。
【請求項３３】
請求項２１記載の方法において、前記メッセージ特性は、チャネル同期フィールドを含む、方法。
【請求項３４】
請求項１記載の方法において、衝突の確率を判定する前記ステップは、受信信号電力が閾値を上回るか否か判定し、更に、前記第１受信サイトにおいて受信した前記信号の基準信号との相関が閾値未満であるか否か判定することを備えた、方法。
【請求項３５】
無線ロケーション・システムであって、
複数の信号受信サイトであって、各々、移動送信機からの信号を受信しディジタル化することができる受信機と、前記受信信号を復調する復調器とを含む、複数の信号受信サイトと、
干渉信号が第１受信サイトにおいて受信した信号を破損する衝突の確率を判定する手段と、
前記衝突の確率が閾値を超過した場合、前記第１受信サイトにおいて受信した前記信号から、前記干渉信号の少なくとも実質的な部分を除去する手段と、
を備えた無線ロケーション・システム。
【請求項３６】
請求項３５記載の無線ロケーション・システムであって、更に、前記第１受信サイトにおいて受信した前記信号を、所定のアルゴリズムにしたがって処理し、前記衝突の確率を判定する手段を備えた、無線ロケーション・システム。
【請求項３７】
請求項３６記載の無線ロケーション・システムにおいて、前記所定のアルゴリズムは、前記受信信号に関する信号対ノイズ比（ＳＮＲ）を判定することを備えた、無線ロケーション・システム。
【請求項３８】
請求項３７記載の無線ロケーション・システムにおいて、前記所定のアルゴリズムは、更に、ＳＮＲの分散が所定の閾値を超過したか否か判定することを含む、無線ロケーション・システム。
【請求項３９】
請求項３７記載の無線ロケーション・システムにおいて、前記所定のアルゴリズムは、更に、前記ＳＮＲが単一ステップにおいて、所定の閾値よりも大きい量だけ増加または減少したか否か判定を行うことを含む、無線ロケーション・システム。
【請求項４０】
請求項３７記載の無線ロケーション・システムにおいて、前記所定のアルゴリズムは、更に、前記衝突の確率を、遠隔サイトにおいて受信した信号の平均ＳＮＲが、伝搬モデルによって予測した平均ＳＮＲよりも大きいか否かに基づかせることを含む、無線ロケーション・システム。
【請求項４１】
請求項３５記載の無線ロケーション・システムにおいて、前記第１受信サイトにおいて受信した前記信号から前記干渉信号の少なくとも実質的な部分を除去する手段は、干渉信号の表現を再現する手段を備えた、無線ロケーション・システム。
【請求項４２】
請求項４１記載の無線ロケーション・システムにおいて、前記第１受信サイトにおいて受信した前記信号から前記干渉信号の少なくとも実質的な部分を除去する手段は、前記再現した信号を、これを前記第１受信サイトにおいて受信した前記信号から減算する前に処理する手段を備えた、無線ロケーション・システム。
【請求項４３】
請求項４２記載の無線ロケーション・システムにおいて、前記再現した信号の処理は、時間シフトを含む、無線ロケーション・システム。
【請求項４４】
請求項４２記載の無線ロケーション・システムにおいて、前記再現した信号の処理は、周波数シフトを含む、無線ロケーション・システム。
【請求項４５】
請求項４２記載の無線ロケーション・システムにおいて、前記再現した信号の処理は、重み付けを含む、無線ロケーション・システム。
【請求項４６】
請求項４２記載の無線ロケーション・システムにおいて、前記再現信号の処理は、所定の伝搬モデルにしたがった処理を含み、前記第１受信サイトにおいて受信した前記信号から減算する前記信号が、干渉信号の実質的に正確な表現であるようにした、無線ロケーション・システム。
【請求項４７】
請求項４２記載の無線ロケーション・システムであって、更に、前記第１受信サイトにおいて受信した前記信号から干渉信号の少なくとも実質的な部分を除去するプロセスを繰り返して、多数の干渉信号の実質的な部分を除去する手段を備えた、無線ロケーション・システム。
【請求項４８】
請求項４７記載の無線ロケーション・システムにおいて、前記繰り返す手段は、最も強い干渉物を選択して最初に除去し、続いてＳＮＲの閾値に達するまで、干渉が減少する順序で１つ以上の他の干渉物を選択し除去する手段を含む、無線ロケーション・システム。
【請求項４９】
請求項４７記載の無線ロケーション・システムにおいて、前記繰り返す手段は、最も強い干渉物を選択して最初に除去し、続いて時間限度を超過するまで、干渉が減少する順序で１つ以上の他の干渉物を選択し除去する手段を含む、無線ロケーション・システム。
【請求項５０】
請求項４７記載の方法において、前記繰り返す手段は、最も強い干渉物を選択して最初に除去し、続いて潜在的位置判定が指定の精度および信頼度に達するまで、干渉が減少する順序で１つ以上の他の干渉物を選択し除去する手段を含む、無線ロケーション・システム。
【請求項５１】
請求項４１記載の無線ロケーション・システムであって、更に、前記再現信号の表現を１つ以上の別の受信サイトに分配する手段を含み、これによって前記他の受信サイトが、当該サイトにおいて受信した信号から干渉を除去する際に前記再現信号を用いることを可能にした、無線ロケーション・システム。
【請求項５２】
請求項３５記載の方法であって、更に、前記第１受信サイトにおいて複数のアンテナ・ポートの各々からの受信した信号データが、位置を検出すべき移動送信機からであることを検証する手段を備えた、無線ロケーション・システム。
【請求項５３】
請求項５２記載の無線ロケーション・システムにおいて、前記検証する手段は、前記受信信号のセグメントを復調して、前記信号における識別情報が正しいことを検証する手段を備えた、無線ロケーション・システム。
【請求項５４】
請求項５３記載の無線ロケーション・システムにおいて、前記識別情報は、ＭＩＮおよびＭＳＩＤの内少なくとも１つを含む、無線ロケーション・システム。
【請求項５５】
請求項５２記載の無線ロケーション・システムにおいて、前記検証する手段は、前記受信信号のセグメントを復調して、前記信号におけるメッセージ特性が、別の受信サイトにおいて受信したものと一致することを検証する手段を備えた、無線ロケーション・システム。
【請求項５６】
請求項５５記載の無線ロケーション・システムにおいて、前記メッセージ特性は、ダイアルした番号を含む、無線ロケーション・システム。
【請求項５７】
請求項３５記載の無線ロケーション・システムにおいて、１対の前記受信サイトが到達時間差（ＴＤＯＡ）の計算に対するベースラインを規定し、一方の受信サイトにおいて干渉信号を消去することを、他方の受信サイトにおいて受信した信号から得た前記干渉信号の再現表現を用いることによって行うことができ、これによりＴＤＯＡ判定の精度を高める、無線ロケーション・システム。
【請求項５８】
請求項３５記載の無線ロケーション・システムにおいて、衝突の確率を判定する前記手段は、前記第１受信サイトにおいて受信した前記信号を基準信号と相関させる手段を備えた、無線ロケーション・システム。
【請求項５９】
請求項５８記載の無線ロケーション・システムであって、更に、前記第１受信サイトにける干渉物の再現バージョンを、近隣サイトからの基準と時間に関して相関させて、前記干渉物の最適時間シフト・バージョンを求める手段を備えた、無線ロケーション・システム。
【請求項６０】
請求項５８記載の無線ロケーション・システムであって、更に、前記第１受信サイトにける干渉物の再現バージョンを近隣サイトからの基準と周波数に関して相関させて、前記干渉物の最適周波数シフト・バージョンを求める手段を備えた、無線ロケーション・システム。
【請求項６１】
請求項５８記載の無線ロケーション・システムであって、更に、前記第１受信サイトにける干渉物の再現バージョンを近隣サイトからの基準と時間および周波数に関して相関させて、前記干渉物の最適の時間および周波数シフト・バージョンを求める手段を備えた、無線ロケーション・システム。
【請求項６２】
請求項３５記載の無線ロケーション・システムにおいて、衝突の確率を判定し前記第１受信サイトにおいて受信した信号から前記干渉信号の少なくとも実質的な部分を除去する前記の手段は、受信サイトに位置する、無線ロケーション・システム。
【請求項６３】
請求項３５記載の無線ロケーション・システムにおいて、衝突の確率を判定し前記第１受信サイトにおいて受信した信号から前記干渉信号の少なくとも実質的な部分を除去する前記の手段は、中央サイトに位置する、無線ロケーション・システム。
【請求項６４】
請求項３５記載の無線ロケーション・システムにおいて、前記所定のアルゴリズムは、位置を検出すべき前記移動送信機以外の移動送信機の知識を用い、同一チャネル上において前記位置を検出すべき移動送信機として通信して、干渉が存在することを判定することを含む、無線ロケーション・システム。
【請求項６５】
請求項６４記載の無線ロケーション・システムにおいて、前記知識は無線通信システムから得られる、無線ロケーション・システム。
【請求項６６】
請求項５５記載の無線ロケーション・システムにおいて、前記メッセージ特性はチャネル同期フィールドを含む、無線ロケーション・システム。
【請求項６７】
請求項３５記載の無線ロケーション・システムにおいて、衝突の確率を判定する前記手段は、受信信号電力が閾値を上回るか否か、および、前記第１受信サイトにおいて受信した前記信号と基準信号との相関が閾値未満であるか否かを判定する手段を備えた、無線ロケーション・システム。